(57)【要約】【課題】部品点数を抑えながら、電磁波を遮蔽することができるとともに表示部材を支持することができる。【解決手段】電磁波の遮蔽構造１は、電子部品９を実装する実装基板２と、電子部品９が発生する電磁波を遮蔽するため実装基板２に設けられた電磁波遮蔽部３と、情報を表示する表示部材４と、表示部材４を支持するとともに電磁波遮蔽部３を覆う支持部５と 、備えることを特徴とする。【選択図】図１
2014170830.tif 000002
【特許請求の範囲】
【請求項１】
電子部品を実装する実装基板と、
前記電子部品が発生する電磁波を遮蔽するため前記実装基板に設けられた電磁波遮蔽部と、
情報を表示する表示部材と、
前記表示部材を支持するとともに前記電磁波遮蔽部を覆う支持部と、を備えることを特徴とする電磁波の遮蔽構造。
【請求項２】
請求項１に記載の電磁波の遮蔽構造において、
前記電磁波遮蔽部は、前記実装基板から前記表示部材側に向かって立設されるとともに、前記電子部品を挟んで対向するように配置された立設壁部を有し、
前記支持部は、前記立設壁部に接触配置された接触壁部を有することを特徴とする電磁波の遮蔽構造。
【請求項３】
請求項２に記載の電磁波の遮蔽構造において、
前記立設壁部及び前記接触壁部のうち前記電子部品から遠い方に配された一方が、前記立設壁部及び前記接触壁部の他方を、前記電子部品側に向かって押圧することを特徴とする電磁波の遮蔽構造。
【請求項４】
請求項１から請求項３のいずれか一項に記載の電磁波の遮蔽構造において、
前記支持部は、前記表示部材に沿って配された支持壁部を有することを特徴とする電磁波の遮蔽構造。
【請求項５】
請求項１から請求項４のいずれか一項に記載の電磁波の遮蔽構造において、
前記電磁波遮蔽部と前記支持部とは一体をなしていることを特徴とする電磁波の遮蔽構造。
【請求項６】
請求項１から請求項５のいずれか一項に記載の電磁波の遮蔽構造を備えることを特徴とする電子機器。
【請求項７】
電子部品を実装する実装基板に、前記電子部品が発生する電磁波を遮蔽するための電磁波遮蔽部を設け、
該電磁波遮蔽部を覆うとともに、情報を表示する表示部材を支持する支持部を設けることを特徴とする電磁波の遮蔽方法。
【発明の詳細な説明】
【技術分野】
【０００１】
本発明は、電磁波の遮蔽構造、これを備えた電子機器及び電磁波の遮蔽方法に関する。
【背景技術】
【０００２】
携帯電話端末をはじめとする各種通信端末やゲーム機器、タブレットパソコン等の各種の電子機器においては、電気機器を構成する基板に設けられた実装部品を外部からの衝撃から保護する等の目的のためにシールド部品が設けられていることがある。
【０００３】
例えば、基板と、基板に実装された電子部品と、電子部品を覆うように基板から筒状に立設され上下方向に開口する枠体と、枠体の開口部分を覆う蓋と、枠体及び蓋を覆うシールドカバーと、情報を表示することができる表示装置とを備える回路基板が提案されている（下記特許文献１参照）。
このような回路基板では、枠体及び蓋が、電子部品を保護するシールド部品を構成している。よって、枠体及び蓋が、外部からの衝撃から電子部品を保護し、デバイスから放射されるノイズから電子部品を保護し、さらに電子部品から放射されるノイズを遮蔽することができる。一方、シールドカバーは、表示装置を支持している。
【先行技術文献】
【特許文献】
【０００４】
【特許文献１】特開２００８−２４３９０８号公報
【発明の概要】
【発明が解決しようとする課題】
【０００５】
しかしながら、特許文献１に記載の回路基板は、電子部品を保護する枠体及び蓋と、表示装置を支持するシールドカバーとが別部材で構成されているため、部品点数が増えるという問題点がある。
【０００６】
本発明は上記の課題を解決するためになされたものであって、部品点数を抑えながら、電磁波を遮蔽することができるとともに表示部材を支持することができる電磁波の遮蔽構造、これを備えた電子機器及び電磁波の遮蔽方法を提供する。
【課題を解決するための手段】
【０００７】
本発明は、上記課題を解決するため、以下の手段を採用する。
すなわち、本発明に係る電磁波の遮蔽構造は、電子部品を実装する実装基板と、前記電子部品が発生する電磁波を遮蔽するため前記実装基板に設けられた電磁波遮蔽部と、情報を表示する表示部材と、前記表示部材を支持するとともに前記電磁波遮蔽部を覆う支持部と 、備えることを特徴とする。
【０００８】
また、本発明に係る電子機器では、上記に記載の電磁波の遮蔽構造を備えることを特徴とする。
【０００９】
また、本発明に係る電磁波の遮蔽方法は、電子部品を実装する実装基板に、前記電子部品が発生する電磁波を遮蔽するための電磁波遮蔽部を設け、該電磁波遮蔽部を覆うとともに、情報を表示する表示部材を支持する支持部を設けることを特徴とする。
【発明の効果】
【００１０】
本発明に係る電磁波の遮蔽構造、これを備えた電子機器及び電磁波の遮蔽方法によれば、部品点数を抑えながら、電磁波を遮蔽することができるとともに表示部材を支持することができる。
【図面の簡単な説明】
【００１１】
【図１】本発明の第一実施形態に係る電磁波の遮蔽構造の最小構成を示す断面図である。
【図２】本発明の第二実施形態に係る電子機器の正面図である。
【図３】本発明の第二実施形態に係る電子機器の要部の断面図である。
【図４】図３のＡ部を分解した分解拡大断面図である。
【図５】図３のＡ部拡大断面図である。
【発明を実施するための形態】
【００１２】
以下、図面を参照して、本発明による電磁波の遮蔽構造、これを備えた電子機器及び電磁波の遮蔽方法を実施するための最良の形態を説明する。しかし、本発明はこれらの実施例のみに限定されるものではない。
【００１３】
（第一実施形態）
図１は、本実施形態による電磁波の遮蔽構造及び電磁波の遮蔽方法の最小構成を示す図である。
【００１４】
図１に示すように、電磁波の遮蔽構造１は、電子部品９を実装する実装基板２と、電子部品９が発生する電磁波を遮蔽するため実装基板２に設けられた電磁波遮蔽部３と、情報を表示する表示部材４と、表示部材４を支持するとともに電磁波遮蔽部３を覆う支持部５とを、少なくとも備えていればよい。
【００１５】
また、電磁波の遮蔽方法は、実装基板２に電磁波遮蔽部３を設け、電磁波遮蔽部３を覆うとともに表示部材４を支持する支持部５を設けるものである。
【００１６】
このように構成された電磁波の遮蔽構造１及び電磁波の遮蔽方法によれば、部品点数を抑えながら、電磁波を遮蔽することができるとともに表示部材４を支持することができる。
【００１７】
（第二実施形態）
以下、本発明の第二実施形態に係る電子機器について、電子機器の一例として携帯電話６を例に挙げて、主に図２から図５を用いて説明する。
この実施形態において、前述した実施形態で用いた部材と同一の部材には同一の符号を付して、その説明を省略する。
【００１８】
図２及び図３に示すように、携帯電話６は、上部が開口された略箱状のケース１０と、ケース１０内に設けられたバッテリー１２及び電磁波の遮蔽構造１１と、ケース１０の内側に沿って設けられたフレーム１３と、フレーム１３に支持されるとともにケース１０の開口部分を閉塞するスクリーン１４とを備えている。
ここで、便宜上、図３に示す紙面上方を上方とし、紙面下方を下方と称する。
【００１９】
ケース１０は、底面を構成する底ケース部１０Ａと、底ケース部１０Ａから立設された側ケース部１０Ｂとを有している。
【００２０】
電磁波の遮蔽構造１１は、ケース１０内に設けられた実装基板２１と、実装基板２１に設けられた電子部品９１Ａが発生する電磁波を遮蔽するため実装基板２１に設けられた電磁波遮蔽部３１と、情報を表示する表示部材４１と、表示部材４１を支持するとともに電磁波遮蔽部３１を覆う支持部５１と、を備えている。
【００２１】
実装基板２１の上面及び下面には、それぞれコネクタやスイッチ等の電子部品９１Ａ，９１Ｂが設けられている。
【００２２】
電磁波遮蔽部３１は、実装基板２１の上面にける電子部品９１Ａの近傍から上方に向かって立設された立設壁部３２と、立設壁部３２の上端から折曲された折曲壁部３３とを有している。
【００２３】
立設壁部３２は、実装基板２１の上面に設けられた電子部品９１Ａの外縁から離間するとともに、電子部品９１Ａを囲むように電子部品９１Ａの周方向にわたって設けられている。本実施形態では、立設壁部３２は、電子部品９１Ａを挟んで対向するように、実装基板２１の上面から表示部材４１側に向かって設けられている。また、立設壁部３２は、弾性変形可能とされている。
【００２４】
折曲壁部３３は、立設壁部３２の上端から電子部品９１Ａ側に向かって折曲されている。折曲壁部３３の端部は、上下方向に開口する開口部３４を形成している。この開口部３４は、電子部品９１Ａの上方に配されている。
【００２５】
支持部５１は、電磁波遮蔽部３１の立設壁部３２に接触配置された接触壁部５２と、接触壁部５２の上端から折曲された支持壁部５３とを有している。
【００２６】
接触壁部５２は、電磁波遮蔽部３１の立設壁部３２に対して電子部品９１Ａとは反対側の面に沿って、上下方向に配置されている。また、接触壁部５２は、弾性変形可能とされている。
【００２７】
支持壁部５３は、表示部材４１の下面に配されている。この支持壁部５３及び接触壁部５２は、電磁波遮蔽部３１の折曲壁部３３により形成された開口部３４を覆うように配されている。つまり、開口部３４は、支持壁部５３及び接触壁部５２により閉塞されている。
【００２８】
表示部材４１は、文字や映像等の情報を表示するものであって、略板状に形成されている。この表示部材４１の一例としては、例えば液晶、電子ペーパー、有機エレクトロルミネッセンス等が挙げられる。
【００２９】
次に、電子部品９１Ａ，９１Ｂが設けられた実装基板２１に対して、支持部５１を配置する方法について説明する。
【００３０】
図４に示すように、電磁波遮蔽部３１の上方から、支持部５１を下方に向かって移動させ、電磁波遮蔽部３１の立設壁部３２に対して、支持部５１の接触壁部５２を接触させるように配置する。ここで、立設壁部３２及び接触壁部５２は弾性変形可能とされている。よって、図５に示すように、立設壁部３２に対して接触壁部５２が接触すると、立設壁部３２及び接触壁部５２のうち電子部品９１Ａから遠い方に配された接触壁部５２が、立設壁部３２を電子部品９１Ａ側に向かって押圧する。
【００３１】
換言すると、立設壁部３２及び接触壁部５２のうち電子部品９１Ａから遠い方に配された接触壁部５２が、電子部品９１Ａを囲むように配された立設壁部３２を周方向にわたって電子部品９１Ａ側に向かって押圧しているため、接触壁部５２と立設壁部３２とは密着して配される。
【００３２】
このように構成された携帯電話６では、電磁波遮蔽部３１の立設壁部３２は、実装基板２１に設けられた電子部品９１Ａを囲むように配されている。また、電磁波遮蔽部３１の立設壁部３２及び支持部５１の接触壁部５２並びに支持壁部５３は、立設壁部３２の上端から折曲された折曲壁部３３により形成された開口部３４を閉塞するように配されている。よって、電子部品９１Ａの上方に配された開口部３４は閉塞されているため、電子部品９１Ａから発生する電磁波を遮蔽して、ノイズを防止することができる。さらに、例えば、携帯電話６が落下した際の衝撃から電子部品９１Ａを保護することができる。
【００３３】
ここで、接触壁部５２が立設壁部３２を押圧することで両者は互いに密着するため、電磁波を確実に遮蔽することができる。
【００３４】
また、支持部５１の支持壁部５３は表示部材４１の下面に沿って配されている。また、支持壁部５３は接触壁部５２を介して折曲壁部３３に支持されている。よって、電磁波遮蔽部３１に支持された支持部５１は、表示部材４１を支持することができる。
【００３５】
このように、支持部５１は、電磁波を遮蔽する役割及び表示部材４１を支持する役割を担っている。よって、それぞれの役割を担う部材を別々に設ける場合よりも、支持部５１が両方の役割を担うことで部品点数を抑えることができる。
さらに、電子部品９１Ａの上方に電磁波を遮蔽する部材を設けて、この部材の上方に表示部材４１を支持する部材を設ける場合には、携帯電話６は上下方向にこれら２部材分の厚みが必要とされる。一方、本実施形態では、支持部５１がこれら２部材分の役割を担うため、携帯電話６全体の厚みを抑えて、携帯電話６の薄型化、コンパクト化を図ることができる。
【００３６】
また、電子部品９１Ａから発せられる熱を、図３に示す矢印のように、電子部品９１Ａの近傍に配された折曲壁部３３、折曲壁部３３に繋がる立設壁部３２、立設壁部３２に接触配置されるとともに表示部材４１の下面に配された支持部５１を介して、携帯電話６全体に放熱させることができる。よって、電子部品９１Ａから発せられる熱を効果的に放熱することができるため、携帯電話６が局所的に発熱することを防止することができる。
【００３７】
なお、上述した実施の形態において示した動作手順、あるいは各構成部材の諸形状や組み合わせ等は一例であって、本発明の主旨から逸脱しない範囲において設計要求等に基づき種々変更可能である。
【００３８】
上述した実施形態においては、立設壁部３２及び接触壁部５２のうち電子部品９１Ａから遠い方に配された接触壁部５２が、立設壁部３２を電子部品９１Ａ側に向かって押圧することにより、両部材が密着されている。しかし、本発明はこれに限られず、立設壁部３２及び接触壁部５２のうち電子部品９１Ａから遠い方に立設壁部３２を配する構成として、立設壁部３２が接触壁部５２を電子部品９１Ａ側に向かって押圧する構成であってもよい。この場合でも、立設壁部３２と接触壁部５２とが密着されるため、電子部品９１Ａから発生する電磁波が確実に遮蔽することができる。
【００３９】
また、支持部５１及び電磁波遮蔽部３１の一方に凹部（不図示）を設けて、この凹部に嵌合される凸部（不図示）を支持部５１及び電磁波遮蔽部３１の他方に設ける構成であってもよい。この場合でも、凹部と凸部とが嵌合することで、電磁波遮蔽部３１と支持部５１とが密着されるため、電子部品９１Ａから発生する電磁波が確実に遮蔽することができる。
【００４０】
また、上記のように接触壁部５２が立設壁部３２を押圧する構成、または支持部５１と電磁波遮蔽部３１とが嵌合関係にある構成でなくても、支持部５１が電磁波遮蔽部３１を覆っていればよい。これにより、部品点数を抑えながら、電磁波を遮蔽することができるとともに表示部材４１を支持することができる。
【００４１】
また、電磁波遮蔽部３１と支持部５１とは、一体をなしていてもよい。例えば、携帯電話６は、電磁波遮蔽部３１を有さずに、支持部５１の接触壁部５２の下端が実装基板２１の上面に当接する構成であってもよい。この場合には、支持部５１のうち立設壁部３２及び電子部品９１Ａの上方に配される部分が、電子部品９１Ａが発生する電磁波を遮蔽するため実装基板２１に設けられた電磁波遮蔽部として機能して、電磁波を遮蔽することができる。
【００４２】
また、上述した実施形態においては、電子機器の一例として携帯電話６を例に挙げて説明したが、本発明はこれに限られず、スマートフォン、ゲーム機器、タブレットＰＣ（Ｐｅｒｓｏｎａｌ  Ｃｏｍｐｕｔｅｒ）、ノートＰＣ（Ｐｅｒｓｏｎａｌ  Ｃｏｍｐｕｔｅｒ）、ＰＤＡ（Ｐｅｒｓｏｎａｌ  Ｄａｔａ  Ａｓｓｉｓｔａｎｔｓ）等の電子機器にも適用することができる。
【符号の説明】
【００４３】
１，１１…遮蔽構造
２，２１…実装基板
３，３１…電磁波遮蔽部
４，４１…表示部材
５，５１…支持部
９，９１Ａ，９１Ｂ…電子部品
６…携帯電話
３２…立設壁部
５２…接触壁部
５３…支持壁部
【図１】
2014170830.tif 000003
【図２】
2014170830.tif 000004
【図３】
2014170830.tif 000005
【図４】
2014170830.tif 000006
【図５】
2014170830.tif 000007